(57)【要約】【課題】  本発明は、室内の見切り材を仕上げるまでは大工職人の手間とし、その後のクロス張りはクロス張り職人の手間としてもクロス端部の仕上げが容易に出来る室内の見切り材を提供することを可能にすることを目的としている。【解決手段】  下地材２に固定される内装材３ａ，３ｂ相互の継ぎ目４に配置されると共に、該下地材２側から内装材３ａ，３ｂよりも室内側に突出する第１の係合部５ｃを有する取付部材５と、内装材３ａ，３ｂ相互の継ぎ目４を覆う覆い部６ａと、該覆い部６ａの内装材３ａ，３ｂ側に設けられ第１の係合部５ｃに係止し得る第２の係合部６ｃと、該覆い部６ａの両側で内装材３ａ，３ｂ側に突出する可撓性の突出片６ｂとを有する構成であることを特徴とする。【選択図】      図１
2013076270.tif 000002
【特許請求の範囲】
【請求項１】
下地材に固定される内装材相互の継ぎ目に配置されると共に、該下地材側から室内側に突出する第１の係合部を有する取付部材と、
前記内装材相互の継ぎ目を覆う覆い部と、前記覆い部の前記内装材側に設けられ前記第１の係合部に係止し得る第２の係合部と、前記覆い部の少なくとも一方側で前記内装材側に突出する可撓性の突出片と、を有する見切り部材と、
を有することを特徴とする室内の見切り材。
【請求項２】
前記可撓性の突出片を撓ませて前記内装材の室内側の表面に貼着されるクロスの端部をヘラ等の挿入部材により前記内装材と前記覆い部との間の隙間に差し込み可能としたことを特徴とする請求項１に記載の室内の見切り材。
【発明の詳細な説明】
【技術分野】
【０００１】
本発明は、内壁や天井等を構成する内装材の表面にクロスを張る際にクロスの端部仕上げが容易な室内の見切り材に関するものである。
【背景技術】
【０００２】
従来、室内のクロスについては建物の構造体の収縮等の経時変化によりチリ切れが生じる。このため、チリ切れが生じても表面に現れないようにクロスの端部を見切り材で覆う。このようなクロスの端部を納める見切り材としては、以下の特許文献１〜５に示される技術が提案されている。
【先行技術文献】
【特許文献】
【０００３】
【特許文献１】実開昭５９−０６３１４９号公報
【特許文献２】実開昭６１−０２６８５０号公報
【特許文献３】実用新案登録第３１２８３７７号公報
【特許文献４】実開平０５−００５９９０号公報
【特許文献５】特開平０５−０５２０３０号公報
【発明の概要】
【発明が解決しようとする課題】
【０００４】
しかしながら、室内の見切り材を仕上げるまでは大工職人の手間とし、その後のクロス張りはクロス張り職人の手間となっているため、特許文献１〜３の技術では、クロスの端部を見切り材で覆う場合、クロス張りの後で見切り材を取り付けることになり、作業手順上の職人の入れ替えが煩雑となっていた。
【０００５】
また、特許文献４の技術では、ヒンジを中心に見切り材を回動してクロス端部を覆う構成であるため、クロス張り職人がクロス張りの後で見切り材を回動してクロス端部を覆うことが出来るものの壁の直線部で床面近傍のクロス端部を覆う構成しか開示されておらず、壁の中央部やコーナー部、天井近傍におけるクロス端部を覆う構成は未解決のままであった。
【０００６】
また、特許文献５の技術では、上半ケース部材のクロス収納部にクロス端部を収容できるものであるが、クロスを張り替える際には上半ケース部材自体を取り外さなければならず、張り替え作業時に大工職人の手間が生じて大掛かりになってしまうという問題があった。
【０００７】
本発明は前記課題を解決するものであり、その目的とするところは、室内の見切り材を仕上げるまでは大工職人の手間とし、その後のクロス張りはクロス張り職人の手間としてもクロス端部の仕上げが容易に出来る室内の見切り材を提供せんとするものである。
【課題を解決するための手段】
【０００８】
前記目的を達成するための本発明に係る室内の見切り材の第１の構成は、下地材に固定される内装材相互の継ぎ目に配置されると共に、該下地材側から室内側に突出する第１の係合部を有する取付部材と、前記内装材相互の継ぎ目を覆う覆い部と、前記覆い部の前記内装材側に設けられ前記第１の係合部に係止し得る第２の係合部と、前記覆い部の少なくとも一方側で前記内装材側に突出する可撓性の突出片と、を有する見切り部材とを有することを特徴とする。
【０００９】
また、本発明に係る室内の見切り材の第２の構成は、前記第１の構成において、前記可撓性の突出片を撓ませて前記内装材の室内側の表面に貼着されるクロスの端部をヘラ等の挿入部材により前記内装材と前記覆い部との間の隙間に差し込み可能としたことを特徴とする。
【発明の効果】
【００１０】
本発明に係る室内の見切り材の構成によれば、内装材相互の継ぎ目に取付部材を取り付け見切り部材の第２の係合部を取付部材の第１の係合部に係合させて係止した後、可撓性の突出片の外側からクロスをヘラ等の挿入部材を用いて該突出片を撓ませて内部まで差し入れ、該ヘラ等の挿入部材を抜き出すと、該突出片が復元してクロスの端部及び内装材相互の継ぎ目を覆い隠すことが出来る。これにより、室内の見切り材を仕上げるまでは大工職人の手間とし、その後のクロス張りはクロス張り職人の手間としてもクロス端部の仕上げが容易に出来る。
【００１１】
また、クロスの張り替えの際にも見切り部材を取り外すだけで、クロスの張り替えが容易に出来る。また、見切り部材が経年変化により美観が損なわれたり劣化した場合には見切り部材を取り外して新品に取り換えるだけで良い。
【図面の簡単な説明】
【００１２】
【図１】（ａ）は本発明に係る室内の見切り材の第１実施形態の構成を示す断面説明図、（ｂ）は第１実施形態の室内の見切り材を構成する取付部材の構成を示す断面図、（ｃ）は第１実施形態の室内の見切り材を構成する見切り部材の構成を示す断面図である。
【図２】壁を構成する上下の内装材相互の継ぎ目に第１実施形態の取付部材を取り付けた様子を示す斜視説明図である。
【図３】（ａ）は第１実施形態の取付部材に見切り部材を取り付ける様子を示す断面説明図、（ｂ）は第１実施形態の取付部材に見切り部材を取り付けた様子を示す斜視説明図である。
【図４】第１実施形態の可撓性の突出片の外側からクロスの端部をヘラ等の挿入部材を用いて該突出片を撓ませて内部まで差し入れる様子を示す断面説明図である。
【図５】（ａ）は本発明に係る室内の見切り材の第２実施形態の構成を示す断面説明図、（ｂ）は第２実施形態の室内の見切り材を構成する取付部材の構成を示す断面図、（ｃ）は第２実施形態の室内の見切り材を構成する見切り部材の構成を示す断面図である。
【図６】（ａ）は本発明に係る室内の見切り材の第３実施形態の構成を示す断面説明図、（ｂ）は第３実施形態の室内の見切り材を構成する取付部材の構成を示す断面図、（ｃ）は第３実施形態の室内の見切り材を構成する見切り部材の構成を示す断面図である。
【発明を実施するための形態】
【００１３】
図により本発明に係る室内の見切り材の一実施形態を具体的に説明する。
【実施例１】
【００１４】
先ず、図１〜図４を用いて本発明に係る室内の見切り材の第１実施形態の構成について説明する。図１〜図４において、室内の見切り材１は、図１（ｂ）に示す取付部材５と、図１（ｃ）に示す見切り部材６とを有して構成されている。図２に示すように、下地材２に固定して取り付けられる上下に分割された内壁を構成する石膏ボード等の内装材３ａ，３ｂ相互の継ぎ目４には該下地材２側から内装材３ａ，３ｂよりも室内側に突出する第１の係合部５ｃを有する取付部材５が配置される。
【００１５】
本実施形態の取付部材５は断面Ｔ字形状で構成されており、内装材３ａ，３ｂの外側面3a1，3b1に当接される当接片５ａと、上下の内装材３ａ，３ｂの小口面3a2，3b2に挟持される挟持片５ｂとを有して構成され、該挟持片５ｂの先端部には凹部5c1が形成された第１の係合部５ｃが設けられている。挟持片５ｂは内装材３ａ，３ｂの厚さに対応した長さを有し、図１〜図４に示すように、当接片５ａを内装材３ａ，３ｂの外側面3a1，3b1に当接した状態で凹部5c1が形成された第１の係合部５ｃが内装材３ａ，３ｂの内側面3a3，3b3から所定の長さ突出する。取付部材５は、アルミニウムや樹脂を押し出し成形や曲げ成形したり、鋼板を曲げ成形する等により作成される。防火性に配慮する場合には不燃性のアルミニウム、鋼板等の金属製が好ましい。
【００１６】
本実施形態の見切り部材６は、内装材３ａ，３ｂ相互の継ぎ目を覆う覆い部６ａと、該覆い部６ａの内装材３ａ，３ｂ側に設けられ第１の係合部５ｃに着脱可能に係止し得る第２の係合部６ｃと、該覆い部６ａの両側で、該覆い部６ａに対して直角に接続されて内装材３ａ，３ｂ側に突出する可撓性の突出片６ｂとを有して構成される。突出片６ｂは覆い部６ａの端部をヒンジ部６ｄとして撓みながら回動可能に構成され、図４に示すように、突出片６ｂの外側から内装材３ａ，３ｂと該突出片６ｂとの間にクロス８とヘラ等の挿入部材７とを挿入する隙間を形成し得るように構成される。
【００１７】
尚、本実施形態では、覆い部６ａの両側に可撓性の突出片６ｂを設けた構成の一例について説明するが、覆い部６ａの少なくとも一方側に可撓性の突出片６ｂを設けることでも良い。
【００１８】
第２の係合部６ｃは、取付部材５の挟持片５ｂの先端部に形成された凹部5c1に弾性的に嵌合し得る一対の係止片6c1により構成されている。見切り部材６の突出片６ｂは、軟質樹脂、ゴム発泡体等の弾性体で構成される。見切り部材６の覆い部６ａは、アルミニウムや樹脂を押し出し成形したり曲げ成形等により作成することも出来るが、覆い部６ａと突出片６ｂとを樹脂の押し出し成型により一体で構成することも出来る。
【００１９】
図２に示すように、上下の内装材３ａ，３ｂ相互の継ぎ目４に取付部材５を取り付け、該取付部材５の当接片５ａを内装材３ａ，３ｂの外側面3a1，3b1に当接すると共に、挟持片５ｂを上下の内装材３ａ，３ｂの小口面3a2，3b2により挟持した状態で該内装材３ａ，３ｂを下地材２に固定する。そして、図３（ａ）に示すように、見切り部材６の第２の係合部６ｃの一対の係止片6c1を取付部材５の第１の係合部５ｃに係合させて押し込むと、該係止片6c1が弾性変形して凹部5c1に嵌入して係止される。
【００２０】
その後、図４に示すように、見切り部材６の可撓性の突出片６ｂの外側からクロス８の端部をヘラ等の挿入部材７を用いて該突出片６ｂを撓ませて内部まで差し入れ、余分なクロス８はカッターナイフ等により切除する。クロス８の端部が突出片６ｂ内に挿入された後は、ヘラ等の挿入部材７を抜き出すと、図１（ａ）に示すように、突出片６ｂが復元してクロス８の端部及び内装材３ａ，３ｂ相互の継ぎ目４を覆い隠すことが出来る。
【００２１】
クロス８の裏面側に糊等の接着剤を塗布しておき、内装材３ａ，３ｂの室内側の表面に貼着する。クロス張りの段階では、糊等の接着剤はすぐには固まらず、糊の粘着性は強くないため図４に示すように、クロス８の裏面の接着剤が見切り部材６の表面に接触したとしても該クロス８の挿入作業に支障はない。
【００２２】
これにより、室内の見切り材１を仕上げるまでは大工職人の手間とし、その後のクロス８張りはクロス張り職人の手間としてもクロス８の端部の仕上げが容易に出来、見切り部材６の覆い部６ａ及び突出片６ｂによりクロス８のチリ切れを覆って目立たなくすることが出来る。また、クロス８の端部の切断精度を厳密にしなくても良く、クロス８にチリ切れが生じたとしても表面に現れることがなく、クロス８の端部の仕上げ作業が容易に出来る。
【００２３】
内装材３ａ，３ｂのコーナー部においては、図２に示すように、取付部材５の端部がコーナー部の角隅部から所定の距離だけ離間した位置に設定される。そして、図３（ｂ）に示すように、内装材３ａ，３ｂのコーナー部に配置される見切り部材６のコーナー部側の端部をそれぞれ４５度の角度に傾斜したものを互いに突き合わせて配置することにより、直線部と同様に９０度のコーナー部のクロス８の端部及び内装材３ａ，３ｂ相互の継ぎ目４を覆い隠すことが出来る。
【００２４】
また、クロス８の張り替えの際にも見切り部材６を取り外すだけで、クロス８の張り替えが容易に出来る。また、見切り部材６が経年変化により美観が損なわれたり劣化した場合には見切り部材６を取り外して新品に取り換えるだけで良い。
【実施例２】
【００２５】
次に図５（ａ）及び図５（ｂ）を用いて本発明に係る室内の見切り材の第２実施形態の構成について説明する。前記第１実施形態では内壁の上下の内装材３ａ，３ｂの間に見切り材１を設けた場合の一例について説明したが、本実施形態では内壁の内装材３と、天井の内装材11との間に見切り材１を設けた場合の一例について説明する。
【００２６】
図５において、室内の見切り材１は、図５（ｂ）に示す取付部材12と、図５（ｃ）に示す見切り部材６とを有して構成されている。図５（ａ）に示すように、下地材２に固定して取り付けられる内壁を構成する石膏ボード等の内装材３と、天井を構成する石膏ボード等の内装材11との継ぎ目４には該下地材２，13側から内装材３，11よりも室内側に突出する第１の係合部12ｃを有する取付部材12が配置される。
【００２７】
本実施形態の取付部材12は断面Ｊ字形状で構成されており、内装材11の上面11ａに当接される当接片12ａと、内装材３の内側面３ｃに当接して固定される固定片12ｂと、内装材11の下面11ｂに当接される当接片12ｄと、見切り部材６の突出片６ｂを回避する段部12ｅとを有して構成され、該当接片12ｄから垂下した垂下片12ｆの先端部には凸部12c1が形成された第１の係合部12ｃが設けられている。固定片12ｂは内装材11の厚さに対応した長さを有し、当接片12ｄは図５（ｂ）に示す見切り部材６の第２の係合部６ｃと突出片６ｂとの離間間隔に対応した長さを有して構成される。
【００２８】
図５（ａ）に示すように、下地材13の下部に取付部材12を配置し、該取付部材12の固定片12ｂを釘等の固定具14により内壁を構成する内装材３に固定する。そして、天井を構成する内装材11の端部を取付部材12の当接片12ａ，12ｄの間に挿入して挟持固定する。その状態で凸部12c1が形成された第１の係合部12ｃが天井を構成する内装材11の下面11ｂから所定の長さ垂下して突出している。本実施形態の取付部材12もアルミニウムや樹脂を押し出し成形や曲げ成形したり、鋼板を曲げ成形する等により作成される。防火性に配慮する場合には不燃性のアルミニウム、鋼板等の金属製が好ましい。
【００２９】
見切り部材６は前記第１実施形態と同様に構成されている。そして、図５（ａ）に示すように、見切り部材６の第２の係合部６ｃの一対の係止片6c1を取付部材12の第１の係合部12ｃに係合させて押し込むと、該係止片6c1が弾性変形して凸部12c1と当接片12ｄとの間の凹部に嵌入して係止される。
【００３０】
その後、図５（ａ）に示すように、内壁を構成する内装材３のクロス８は、その端部が覆い部６ａまで貼着され、天井を構成する内装材11のクロス８は、見切り部材６の可撓性の突出片６ｂの外側からクロス８の端部を図４に示して前述したように、ヘラ等の挿入部材７を用いて該突出片６ｂを撓ませて内部まで差し入れ、余分なクロス８はカッターナイフ等により切除する。
【００３１】
クロス８の端部が突出片６ｂ内に挿入された後は、ヘラ等の挿入部材７を抜き出すと、図５（ａ）に示すように、突出片６ｂが復元してクロス８の端部及び内装材３，11相互の継ぎ目４を覆い隠すことが出来る。これにより、室内の見切り材１を仕上げるまでは大工職人の手間とし、その後のクロス８張りはクロス張り職人の手間としてもクロス８の端部の仕上げが容易に出来、見切り部材６の覆い部６ａ及び突出片６ｂによりクロス８のチリ切れを覆って目立たなくすることが出来る。また、クロス８の端部の切断精度を厳密にしなくても良く、クロス８にチリ切れが生じたとしても表面に現れることがなく、クロス８の端部の仕上げ作業が容易に出来る。他の構成は前記第１実施形態と同様に構成され、同様の効果を得ることが出来る。
【実施例３】
【００３２】
次に図６を用いて本発明に係る室内の見切り材の第３実施形態の構成について説明する。前記第２実施形態では前記第１実施形態と同様の見切り部材６を用いて、該見切り部材６の内壁を構成する内装材３側の突出片６ｂを回避するための段部12ｅを取付部材12に設けて構成したが、本実施形態では、見切り部材６の一方の突出片６ｂが覆い部６ａの延長線上に設けられ、前記第２実施形態の取付部材12の段部12ｅを省略したものである。
【００３３】
本実施形態の見切り部材６は、図６（ｃ）に示すように、内装材３，11相互の継ぎ目を覆う覆い部６ａと、該覆い部６ａの内装材11側に設けられ第１の係合部12ｃに着脱可能に係止し得る第２の係合部６ｃと、該覆い部６ａの一方側で、該覆い部６ａに対して直角に接続されて内装材11側に突出する可撓性の突出片6b1と、該覆い部６ａの他方側で該覆い部６ａの延長線上に設けられ内装材３側に突出する可撓性の突出片6b2とを有して構成される。突出片6b1，6b2は覆い部６ａの端部をヒンジ部６ｄとして撓みながら回動可能に構成され、図６（ａ）に示すように、突出片6b1，6b2の外側から内装材３，11と該突出片6b1，6b2との間に、図４に示して前述したように、クロス８とヘラ等の挿入部材７とを挿入する隙間を形成し得るように構成される。
【００３４】
第２の係合部６ｃは、取付部材12の垂下片12ｆの先端部に形成された凸部12c1と当接片12ｄとの間に形成される凹部に弾性的に嵌合し得る一対の係止片6c1により構成されている。本実施形態の見切り部材６の突出片6b1，6b2も軟質樹脂、ゴム発泡体等の弾性体で構成される。見切り部材６の覆い部６ａは、アルミニウムや樹脂を押し出し成形したり曲げ成形等により作成することも出来るが、覆い部６ａと突出片6b1，6b2とを樹脂の押し出し成型により一体で構成することも出来る。
【００３５】
本実施形態の取付部材12は、図６（ｂ）に示すように、断面Ｊ字形状で構成されており、内装材11の上面11ａに当接される当接片12ａと、内装材３の内側面３ｃに当接して固定される固定片12ｂと、内装材11の下面11ｂに当接される当接片12ｄとを有して構成され、該当接片12ｄから垂下した垂下片12ｆの先端部には凸部12c1が形成された第１の係合部12ｃが設けられている。固定片12ｂは内装材11の厚さに対応した長さを有し、当接片12ｄは図６（ｂ）に示す見切り部材６の第２の係合部６ｃから突出片6b2の先端部までの長さに対応した長さを有して構成される。
【００３６】
そして、図６（ａ）に示すように、下地材13の下部に取付部材12を配置し、該取付部材12の固定片12ｂを釘等の固定具14により内壁を構成する内装材３に固定する。そして、天井を構成する内装材11の端部を取付部材12の当接片12ａ，12ｄの間に挿入して挟持固定する。その状態で凸部12c1が形成された第１の係合部12ｃが天井を構成する内装材11の下面11ｂから所定の長さ垂下して突出している。本実施形態の取付部材12もアルミニウムや樹脂を押し出し成形や曲げ成形したり、鋼板を曲げ成形する等により作成される。防火性に配慮する場合には不燃性のアルミニウム、鋼板等の金属製が好ましい。
【００３７】
そして、図６（ａ）に示すように、見切り部材６の第２の係合部６ｃの一対の係止片6c1を取付部材12の第１の係合部12ｃに係合させて押し込むと、該係止片6c1が弾性変形して凸部12c1と当接片12ｄとの間の凹部に嵌入して係止される。
【００３８】
その後、図６（ａ）に示すように、内壁を構成する内装材３のクロス８及び天井を構成する内装材11のクロス８は、見切り部材６の可撓性の突出片6b1，6b2のそれぞれの外側からクロス８の端部を図４に示して前述したように、ヘラ等の挿入部材７を用いて該突出片6b1，6b2を撓ませて内部まで差し入れ、余分なクロス８はカッターナイフ等により切除する。
【００３９】
クロス８の端部が各突出片6b1，6b2内に挿入された後は、ヘラ等の挿入部材７を抜き出すと、図６（ａ）に示すように、突出片6b1，6b2が復元してクロス８の端部及び内装材３，11相互の継ぎ目４を覆い隠すことが出来る。これにより、室内の見切り材１を仕上げるまでは大工職人の手間とし、その後のクロス８張りはクロス張り職人の手間としてもクロス８の端部の仕上げが容易に出来、見切り部材６の覆い部６ａ及び突出片6b1，6b2によりクロス８のチリ切れを覆って目立たなくすることが出来る。また、クロス８の端部の切断精度を厳密にしなくても良く、クロス８にチリ切れが生じたとしても表面に現れることがなく、クロス８の端部の仕上げ作業が容易に出来る。他の構成は前記各実施形態と同様に構成され、同様の効果を得ることが出来る。
【００４０】
尚、前記各実施形態では、見切り部材６の第２の係合部６ｃを一対の係止片6c1とし、取付部材５の第１の係合部５ｃを凹部5c1とし、或いは取付部材12の第１の係合部12ｃを凸部12c1とした一例であったが、他の種々の形状の係合部を採用することが出来、例えば、見切り部材６の第２の係合部６ｃを内側に向いた一対の爪部とし、取付部材５の第１の係合部５ｃ、或いは取付部材12の第１の係合部12ｃを外側に向いた一対の爪部として、これらの爪部同士を係合させる構成とすることも出来る。
【産業上の利用可能性】
【００４１】
本発明の活用例として、内壁や天井等を構成する内装材の表面にクロスを張る際にクロスの端部仕上げが容易な室内の見切り材に適用出来る。
【符号の説明】
【００４２】
１    …見切り材
２    …下地材
３，３ａ，３ｂ …内装材
3a1，3b1 …外側面
3a2，3b2 …小口面
3a3，3b3 …内側面
３ｃ  …内側面
４    …継ぎ目
５    …取付部材
５ａ  …当接片
５ｂ  …挟持片
５ｃ  …第１の係合部
5c1   …凹部
６    …見切り部材
６ａ  …覆い部
６ｂ，6b1，6b2   …突出片
６ｃ  …第２の係合部
６ｄ  …ヒンジ部
6c1   …係止片
７    …挿入部材
８    …クロス
11    …内装材
11ａ  …上面
11ｂ  …下面
12    …取付部材
12ａ  …当接片
12ｂ  …固定片
12ｃ  …第１の係合部
12c1  …凸部
12ｄ  …当接片
12ｅ  …段部
12ｆ  …垂下片
13    …下地材
14    …固定具
【図１】
2013076270.tif 000003
【図２】
2013076270.tif 000004
【図３】
2013076270.tif 000005
【図４】
2013076270.tif 000006
【図５】
2013076270.tif 000007
【図６】
2013076270.tif 000008